(57)【特許請求の範囲】
【請求項１】
複数枚のパネル部材を、ベース部材上に設けられるパネル架台上に各々支持させて保管又は、輸送するパネル部材の輸送架台であって、
前記パネル架台は長尺状を呈して、端部に係止部及び略筒状の回動ジョイント部を設けた継ぎ柱部を各々形成すると共に、パネル支持部を延設方向に沿わせて移動可能に設けた長尺架台を有し、また、前記ベース部材の少なくとも一辺には、前記係止部を係止する被係止部を略鉛直方向に沿って複数形成して、所定間隔を置いて複数立設する縦柱を設けると共に、他辺には、前記継ぎ柱部を鉛直方向に回動自在となるように係合させるジョイント受け部を設けたことを特徴とするパネル部材の架台。
【請求項２】
前記長尺架台は、前記係止部を前記被係止部に係止させた状態で、下方のパネル部材から所定間隔離間するように構成されることを特徴とする請求項１記載のパネル部材の架台。
【請求項３】
前記パネル架台は、前記被係止部に係止する係止部と、該何れかの被係止部に該係止部を係止させた状態で、前記長尺架台のパネル支持部と略同一高さに位置する補助パネル支持部とを設けた補助架台を有することを特徴とする請求項１又は請求項２記載のパネル部材の架台。
【請求項４】
前記補助架台の係止部を、前記長尺架台係止部が係止されている被係止部を有する一の縦柱から離間した位置に設けられた他の縦柱の被係止部に係止させることを特徴とする請求項３記載のパネル部材の架台。
【請求項５】
前記パネル支持部を、積層される下方の前記長尺架台の一のパネル支持部を上方の他のパネル支持部と略同一高さに位置するように位置させる高さ調整手段を有してなることを特徴とする請求項１〜４のいずれか１項記載のパネル部材の架台。
【請求項６】
前記パネル支持部は、略鉛直方向に沿って設けられた回動軸を回動中心として回動可能となるように構成されていることを特徴とする請求項１〜５のいずれか１項記載のパネル部材の架台。
【発明の詳細な説明】
【０００１】
【発明の属する技術分野】
この発明は、主に、プレハブ住宅に用いられる屋根パネル等、パネル部材の架台に関するものである。
【０００２】
【従来の技術】
従来のこの種の屋根パネルの輸送架台としては、図２０に示す実公昭６３−２６３３７号公報等に記載されている様な支持フレーム１が知られている。
【０００３】
このような支持フレーム１では、四隅にチャンネル材で形成された保持柱２…が立設され、これらの保持柱２…は、長手方向（Ａ方向）に延設される長尺状の縦梁３，３両端部に接続されると共に、交差方向（Ｂ方向）に延設される短尺状の横梁４，４両端部が接続されて、平面形状を略長方形形状としている。
【０００４】
このうち、横梁４，４上には、屋根パネル８の裏面側に設けられる補強桟９，９を係合して支持する位置決め体５…が複数形成されている。
【０００５】
また、前記保持柱２，２の内側には、スリット状の保持部６，６が、各々対向して形成されている。
【０００６】
この保持部６，６には、各屋根パネル８，８間に介在されるスペーサ７，７の端部が、スライド自在に挿入される。このスペーサ７上にも、前記位置決め体５と略同様の位置決め体５が、一体に形成されている。
【０００７】
次に、この従来の作用について説明する。
【０００８】
このように構成された従来のものでは、ユニット建物１１の屋根パネル８，８或いは床パネル等のパネル部材が、前記スペーサ７，７と交互に積層されて、これらの屋根パネルの面部１０，１０同士が相対する状態で複数段重ねられて保管、輸送等が行われる。
【０００９】
このように積層されたまま施工現場まで輸送された屋根パネル部材８，８ａ〜８ｆは、クレーン等で吊り上げられて図１９に示すようにユニット建物１１の屋根部１２を構成して載置され、固定される。
【００１０】
なお、他のこの種の屋根パネルの輸送架台としては、実公昭６３−２６３３８号公報等に記載されているものが知られている。
【００１１】
【発明が解決しようとする課題】
屋根部を構成する屋根パネル部材としては、前記屋根パネル８のような方形状のものに限られず、図１９に示すように三角形の屋根パネル８ｂ，８ｃ，８ｆ等、その他異型のものも存在する。しかしながら、上記のような従来のものでは、前記位置決め体５が前記横梁４，４上或いは前記スペーサ７，７上に固定されているので、このような異型のパネル部材を載置しようとすると、最も安定して支持できる位置から位置決め体５がずれてしまい、支持が不安定となる虞があった。
【００１２】
また、上記従来の架台により、これらの異型のパネル部材を積層し、保管及び搬送しようとすると、前記スペーサ７，７が用いられているので、両スペーサ７，７間に跨って載せられない小さいパネル部材は、積層が困難であった。
【００１３】
このため、下方の屋根パネル上に介物を載置する方法も考えられるが、この方法では、介物が搬送中に位置ずれを起こし、荷崩れが発生してしまう虞があった。
【００１４】
そこで、この発明は、異型のパネル部材であっても、安定させて載置できると共に、パネル部材の形状に拘わらず、積層して保管及び搬送が可能なパネル部材の架台を提供することを課題としている。
【００１５】
【課題を解決するための手段】
前記課題を解決するため本願発明の請求項１に記載されたものでは、複数枚のパネル部材を、ベース部材上に設けられるパネル架台上に各々支持させて保管又は、輸送するパネル部材の輸送架台であって、前記パネル架台は長尺状を呈して、端部に係止部及び略筒状の回動ジョイント部を設けた継ぎ柱部を各々形成すると共に、パネル支持部を延設方向に沿わせて移動可能に設けた長尺架台を有し、また、前記ベース部材の少なくとも一辺には、前記係止部を係止する被係止部を略鉛直方向に沿って複数形成して、所定間隔を置いて複数立設する縦柱を設けると共に、他辺には、前記継ぎ柱部を鉛直方向に回動自在となるように係合させるジョイント受け部を設けたパネル部材の架台を特徴としている。
【００１６】
このように構成された請求項１記載のものでは、前記長尺架台一端の回動ジョイント部を前記ジョイント受け部に回動自在に係合させると共に、他端の係止部を該回動ジョイント部を中心として回動させて、何れかの縦柱の被係止部に該係止部を係止させると、前記ジョイント受け部と縦柱との間に長尺架台が掛け渡される。
【００１７】
このため、複数の縦柱のうち、該係止部を係止させる縦柱を適宜選択することにより、回転軸から縦柱に掛け渡された長尺架台と、該縦柱以外の縦柱へ向けて延設される直線との間に平行以外の所定角度を与えて配設させることが出来る。
【００１８】
また、回転軸から縦柱に渡された長尺架台と、他の縦柱に渡された長尺架台とが、平行以外の所定角度を与えて配設させることもできる。
【００１９】
さらに、例えば、各支持部を該長尺架台に沿わせてスライド移動させて任意の位置で停止させることにより、異型のパネル部材であっても、安定させて支持できる。
【００２０】
また、請求項２に記載されたものでは、前記長尺架台は、前記係止部を前記被係止部に係止させた状態で、下方のパネル部材から所定間隔離間するように構成される請求項１記載のパネル部材の架台を特徴としている。
【００２１】
このように構成された請求項２記載のものでは、パネル部材を積層する際には、一の長尺架台の前記継ぎ柱部上に他の長尺架台の前記回動ジョイント部を鉛直方向に連結し、該一の長尺架台が係止している被係止部と鉛直方向で高さ位置の異なる被係止部に、該他の長尺架台の係止部を係止させると、該他の長尺架台が下方のパネル部材から所定間隔離間する。
【００２２】
このため、上方に積層されるパネル部材は、下方のパネル部材と離間した前記他の長尺架台によって独立に支持されるので、該下方のパネル部材に前記上方のパネル部材の荷重による負担が加わらず、該下方のパネル部材の耐荷重量により上方に積層されるパネル部材が制限されることもないので、一の輸送架台で多くのパネル部材を積層、輸送することができる。
【００２３】
また、下方に載置されたパネル部材の形状に拘わらず、他の長尺架台上に形状の異なるパネル部材を載置して支持させることができる。
【００２４】
そして、請求項３に記載されたものでは、前記パネル架台は、前記被係止部に係止する係止部と、該何れかの被係止部に該係止部を係止させた状態で、前記長尺架台のパネル支持部と略同一高さに位置する補助パネル支持部とを設けた補助架台を有する請求項１又は請求項２記載のパネル部材の架台を特徴としている。
【００２５】
このように構成された請求項３記載のものでは、前記ジョイント受け部と縦柱との間に長尺架台が掛け渡される上記作用に加えて、適宜前記各縦柱被係止部を選択して前記補助架台の係止部を係止させる。
【００２６】
該補助架台の支持部は、パネル部材を安定させて支持できる位置に位置決めされる。
【００２７】
このため、パネル部材を安定して支持するための各架台の位置決めが容易となり、該各架台上のパネル部材を簡単な機構により水平に固定、位置決めすることができるので、作業効率の向上に寄与する。
【００２８】
さらに、前記補助架台の係止部が係止する前記各縦柱の被係止部を適宜変更することによって、種々の形状のパネル部材に対応することができる。
【００２９】
また、請求項４に記載されたものでは、前記補助架台の係止部を、前記長尺架台係止部が係止されている被係止部を有する一の縦柱から離間した位置に設けられた他の縦柱の被係止部に係止させる請求項３記載のパネル部材の架台を特徴としている。
【００３０】
このように構成された請求項４記載のものでは、前記補助架台の支持部位置が、前記長尺架台上に設けられた各支持部間を結ぶ線上から所定距離間離間されて設けられるので、前記長尺架台各支持部間を結ぶ線上に無い支持部が、この補助架台係止部を係止する前記各縦柱被係止部を適宜選択することによって任意の位置に設けることができる。
【００３１】
このため、例えば、三角屋根パネル部材の一辺を該長尺架台の延設方向に沿わせて支持させる際、三角形の該一辺から離間した頂点近傍に位置する支持部を、パネル形状に適応させて設けることができる。
【００３２】
また、同一直線上に無い位置に存在する複数の支持部が、パネル部材を支持するので、例えば、三角屋根パネルの頂点位置の近傍の各点で、前記支持部によって支持されることにより、効率よく安定させてパネル部材を支持することができる。
【００３３】
この際、該補助架台の支持部を任意の位置に設けることができるので、各々異なる形状を有する異型屋根パネルであっても、各々最も支持が安定する各頂点位置近傍等に支持部を設け、安定させて支持させることができる。
【００３４】
そして、請求項５に記載されたものでは、前記パネル支持部を、積層される下方の前記長尺架台の一のパネル支持部を上方の他のパネル支持部と略同一高さに位置するように位置させる高さ調整手段を有してなる請求項１〜４のいずれか１項記載のパネル部材の架台を特徴としている。
【００３５】
このように構成された請求項５記載のものでは、前記高さ調整手段によって、長尺架台を積層した際に、一の長尺架台上のパネル支持部が、上方に連結される他の長尺架台上のパネル支持部と略同一高さに位置する。
【００３６】
このため、複数の該長尺架台上の多数のパネル支持部により、一枚のパネル部材を水平に支持することができる。
【００３７】
また、請求項６に記載されたものでは、前記パネル支持部は、略鉛直方向に沿って設けられた回動軸を回動中心として回動可能となるように構成されている請求項１〜５のいずれか１項記載のパネル部材の架台を特徴としている。
【００３８】
このように構成された請求項６記載のものでは、前記パネル支持部が、パネル被支持部に合わせて回動軸を回動中心として回動されると、該支持部は前記被支持部を支持する方向に向く。
【００３９】
従って、パネル部材を架台の上に載置するだけで、被支持部が支持部に適合して支持される。
【００４０】
このため、パネル部材の被支持部の方向に依存せずパネル部材を積むことが可能となり、異型のパネル等に対する汎用性が増大される。
【００４１】
【発明の実施の形態１】
以下、本発明の具体的な実施の形態１について、図面を参照しつつ説明する。
【００４２】
図１乃至図１８は、この発明の実施の形態１を示すものである。なお、前記従来例と同一乃至均等な部分については、同一符号を付すこととする。
【００４３】
まず、この実施の形態１の構成について説明する。
【００４４】
図５に示すように、パネル部材の架台１３が、ベース部材１４と、このベース部材１４上に設けられて、各々パネル部材としての前記屋根パネル８ａ，８ｂ…，８ｇ等を支持して保管又は、輸送するパネル架台としての長尺架台１５及び補助架台１６とから構成されている。
【００４５】
前記ベース部材１４は、図９、図１０に示すように、略方形状に金属等のフレーム部材を組み合わせて各々接合されたベース部材本体１７、該ベース部材本体１７の少なくとも一辺に所定間隔を置いて複数立設された縦柱１８、及び該ベース部材本体１７の他辺に設けられた円柱形状のジョイント受け部１９とから主に構成されている。
【００４６】
前記長尺架台１５には、図１１、図１２に示すように、一端に係止部としてのフック２０が、他端に大経の略筒状の回動ジョイント部２１及び、この回動ジョイント部２１と一体に形成される小径のジョイント受け２２を有する継ぎ柱部２３が各々形成されていると共に、パネル支持部２４，２４が、該長尺架台１５の延設方向に沿って移動可能に設けられている。
【００４７】
係止部としての前記フック２０は、前記縦柱１８に設けられた被係止部としてのスリット部２５に係止される。該各スリット２５ａ…，２５ｂ…，２５ｃ…，２５ｄ…は、前記各縦柱１８ａ，１８ｂ，１８ｃ，１８ｄに略鉛直方向に沿って各々複数形成されている。
【００４８】
また、前記継ぎ柱部２３の回動ジョイント部２１は、前記ベース部材本体１７上に設けられた前記ジョイント受け部１９に、回動自在となるよう着脱自在に係合されている。
【００４９】
図１及び図２に示すように、その一端が前記フック２０で係止され、他端が前記継ぎ柱部２３で係合されて積層された状態で、長尺架台１５が、下方のパネル部材８ａから所定間隔ａ離間されるように、前記スリット２５ａ…等の間隔及び、継ぎ柱部２３の回動ジョイント部２１及びジョイント受け２２との鉛直方向の比率が構成されている。なお、図３中右側の長尺架台２１５では、高さ調整手段の一つとして、回動ジョイント部１２１が一段高い位置に形成されて、パネル支持部２４，２４を、長尺架台１５のパネル支持部２４，２４の高さ方向位置と略同一とするように構成されている。
【００５０】
前記パネル支持部２４は、図６、図７に示すように、断面略ロ字状で前記長尺架台１５を、開口部内側に沿って摺動自在となるよう形成されたスライド部２６、該スライド部２６と一体でその上部に突設された支柱部２７、上部を開放する断面略コ字状を呈し、前記支柱部２７上に設けられた受け部２８、及び該受け部２８からのパネル部材脱落を防止するための脱落防止フック２９とから主に構成されている。
【００５１】
前記受け部２８は、前記支柱部２７上において、略鉛直方向に設けられた回動軸３０を回動中心として、回動可能となるように設けられている。
【００５２】
また、前記脱落防止フック２９は、略鈎型形状を呈し、基部をスライド自在に前記支柱部２７に対して水平幅方向に挿通すると共に、先端部３１を、前記受け部２８の一側面３２に対して内側へ出没自在となるように構成されている。
【００５３】
この脱落防止フック２９は、後端に形成された頭部３３と、前記受け部２８の他側面３４との間に設けられたスプリング部材３５によって、先端部３１を前記受け部２８内側に向けて突出する方向へ付勢されている。
【００５４】
なお、長尺架台としては、図１２に示す前記長尺架台１５の前記パネル支持部２４，２４の各支柱部２７，２７の高さを異にして形成された、図１３に示す長尺架台１１５も用意されている。すなわち、該長尺架台１１５の高さ調整手段の一つとしての各支柱部１２７，１２７の高さは、該長尺架台１１５の回動ジョイント部１２１を前記長尺架台１５の前記ジョイント受け２２に係合させて積層したときに、前記長尺架台１５の前記各支持柱２７，２７と略同一高さに位置するように形成されている。
【００５５】
また、この長尺架台１５には、延設方向にスライド自在な脚部材１５ａが設けられている。該脚部材１５ａは、断面略ロ字状で前記長尺架台１５を、開口部内側に沿って摺動自在となるよう形成された脚スライド部１５ｂ、及び該脚スライド部１５ｂと一体でその下に設けられた平板部１５ｃにより構成されている。
【００５６】
前記補助架台１６には、図１４、図１５に示すように、短尺状の基部３６の一端に係止部としてのフック３７，３７が上下に形成されていると共に、該フック３７，３７の中間で、該フック３７，３７を結んだ直線上にネジ部３８が、また該補助架台１６の延設方向に沿って移動可能な補助パネル支持部３９が設けられている。
【００５７】
そして、図１６に示すように、前記フック３７，３７間の距離ｂは、前記スリット部２５の各スリット間の距離ｃと略同一に、該各スリットの水平幅ｄは、前記ネジ部３８の外径ｅよりも大きくなるように、該各スリットの鉛直方向の長さｆは、前記ネジ部３８の上面から前記フック３７，３７のうち下方のフックの係止凹部底面までの距離ｇよりも大きくなるように、各々構成されている。
【００５８】
次に、この実施の形態１の作用について説明する。
【００５９】
この実施の形態１では、図３に示すように、前記長尺架台１５に設けられた前記回動ジョイント部２１が、前記ベース部材本体上１７の前記ジョイント受け部１９に、回動自在となるよう鉛直方向に係合される。
【００６０】
そして、該長尺架台１５を、前記継ぎ柱部２３を中心として回動させることによって、該長尺架台１５の前記フック２０が、前記縦柱１８ｄの側面にある前記スリット２５ｄに係止される。これにより、前記ジョイント受け部１９と、前記縦柱１８ｄとの間に、前記長尺架台１５が掛け渡される。
【００６１】
屋根パネル８ｃを該長尺架台１５によって支持するためには、まず、最も支持が安定するような屋根パネルの配置を検討し、そのときの屋根フレーム１０８と該長尺架台との２交点を支持位置として決定する。
【００６２】
次に、該２交点に位置するように、前記パネル支持部２４，２４を各々前記長尺架台１５に沿ってスライドさせる。
【００６３】
前記パネル支持部２４に設けられた前記受け部２８が、前記回動軸３０を中心として回動されることによって、該受け部２８の凹部に前記屋根フレーム１０８が係合するような該受け部３０の方向を定めることができる。
【００６４】
従って、前記屋根パネル８ｃを該パネル支持部２４の上に載置するだけで、前記屋根フレーム１０８が該受け部２８に適合して支持される。
【００６５】
このため、三角型形状等のパネル部材の被支持部の位置及び方向に依存せずパネル部材を積むことが可能となり、異型のパネル等に対する汎用性が増大される。
【００６６】
なお、前記屋根フレーム１０８を前記受け部２８に載置する際には、まず、前記脱落防止フック２９後端の前記頭部３３が、前記スプリング部材３５の付勢力に抗して水平方向に押される。
【００６７】
すると、前記受け部２８の一側面３２に形成された穴を挿通して、該受け部２８内側に向けて突出されていた前記先端部３１は、該一側面３２を抜けて該受け部２８の外側へスライドされる。
【００６８】
この状態において、前記受け部２８に前記屋根フレーム１０８は載置され、前記頭部３３を解放することにより、付勢力によって再び前記先端部３１が前記受け部２８内側向けて突出する方向に付勢される。
【００６９】
従って、前記屋根フレーム１０８は、前記脱落防止フック２９に阻害されて、前記パネル支持部２４から係合を解かれることがなく、パネルの搬送状態において架台からのパネルの脱落を防止することができる。
【００７０】
図１、図２に示すように、パネル部材を積層する際には、一の長尺架台１５の前記ジョイント受け２２上に他の長尺架台１５の前記回動ジョイント部２１を鉛直方向に連結し、該一の長尺架台１５が係止しているフック３７ａと鉛直方向で高さ位置の異なるフック３７ｄに、該他の長尺架台１５のフック２０を係止させると、該他の長尺架台１５が下方のパネル部材８ｅから所定間隔離間する。
【００７１】
このため、上方に積層されるパネル部材８ｃは、下方のパネル部材８ｅと離間した前記他の長尺架台１５によって独立に支持される。
【００７２】
従って、該下方のパネル部材８ｅに前記上方のパネル部材８ｃの荷重による負担が加わらず、該下方のパネル部材８ｅの耐荷重量により上方に積層されるパネル部材が制限されることもないので、一の輸送架台で多くのパネル部材を積層、輸送することができる。
【００７３】
また、下方のパネル部材８ｅと離間した前記他の長尺架台１５によって独立に支持されるので、下方に載置されたパネル部材８ｅの形状に拘わらず、他の長尺架台上１５に形状の異なるパネル部材を載置して支持させることができる。
【００７４】
更に、前記長尺架台１５を係止させる前記縦柱１８ａ，１８ｂ，１８ｃ，１８ｄを適宜選択することにより、前記ジョイント受け部１９から該縦柱部１８に掛け渡された該長尺架台１５の延設方向と、該縦柱以外の縦柱へ向けて延設される直線との間に平行以外の所定角度を与えて配設させることができる。
【００７５】
従って、例えば、異型のパネル部材のうち、側縁近傍のフレーム材１０８…の下方位置に、各パネル支持部２４を該長尺架台１５に沿わせてスライド移動させて位置決めを行い、パネル部材を該各パネル支持部２４で安定させて支持させることができる。
【００７６】
図４は、大きさ及び形状の異なる屋根パネル８ｃ，８ｅを略水平位置に並べて載置する一例を示している。
【００７７】
この場合、前記パネル架台１３の縦柱１８ｂ，１８ｃには、前記補助架台１６のフック３７，３７が、図１６及び図１７に示すように、該何れかのスリット部２５，２５に係止される。係止後、前記ネジ部３８を前記スリット部２５内に回動させて挿入することにより、補助架台１６の脱落が防止されると共に、前記長尺架台１５のパネル支持部２４と略同一高さに、この補助架台１６の補助パネル支持部３９を位置させることができる。
【００７８】
このように、前記ジョイント受け部１９と縦柱１８との間に長尺架台１５が掛け渡される上記作用に加えて、適宜前記各縦柱スリット部２５を選択して前記補助架台１６のフック３７，３７を係止させることが出来る。
【００７９】
このため、図４のように、大きさ及び形状の異なる屋根パネル８ｃ，８ｅを略水平方向に並べ、更に、前記長尺架台１５又は、補助架台１６を用いて、上方に他の屋根パネル８等を積層出来る。
【００８０】
そして、該補助架台１６の前記補助パネル支持部３９は、屋根パネル８ｃの頂点近傍の安定させて支持できる位置に、前記縦柱１８ｂに係止させることにより、位置決めされる。
【００８１】
このように、パネル部材を安定して支持するための各架台の位置決めが容易となり、該各架台上のパネル部材を簡単な機構により水平に固定、位置決めすることができるので、作業効率の向上に寄与する。
【００８２】
さらに、図５〜８に示すように、前記補助架台１６のフック３７，３７が係止する前記各縦柱１８のスリット２５を、例えば、図５のように縦柱１８ｄのスリット２５ｄ，２５ｄ或いは、図８の縦柱１８ａのスリット２５ａ，２５ａへ適宜変更することによって、対称形状を呈するもの等、種々の形状の屋根パネル部材８ｇに対応させることができる。
【００８３】
また、図１８に示すものでは、前記一方の長尺架台１５のフック２０を、前記他方の長尺架台１５のフック２０が係止されているスリット２５ａを有する一の縦柱１８ａから離間した位置に設けられた他の縦柱１８ｄのスリット２５ｄに係止させる。
【００８４】
前記他方の長尺架台１５のパネル支持部２４の位置が、前記一方の長尺架台１５上に設けられた各パネル支持部２４，２４間を結ぶ線上から所定距離間離間されて設けられるので、前記長尺架台１５の各パネル支持部２４，２４間を結ぶ線上に無いパネル支持部２４が、この他方の長尺架台１５のフック２０を係止する前記各縦柱部１８のスリット部２５ｂ〜２５ｄを適宜選択することによって任意の位置に設けることができる。
【００８５】
このため、例えば、三角屋根パネル部材８ｈの一辺を構成する軒先部１０８ａを一方の長尺架台１５の延設方向に沿わせて支持させる際、三角形のこの一辺から離間した頂点近傍に位置するパネル支持部２４を、パネル形状に適応させて設け、軒先部１０８ａ等を有している三角屋根パネル８ｈであっても、効率よく安定させて、支持することができる。
【００８６】
この際、化粧板を有することにより所定厚みを有する軒先部１０８ａが、三角屋根パネル部材８ｈの一辺に設けられていても、前記各架台１５，１６によって、三角屋根パネル８ｈ，８ｈ間に間隔を設けられる。従って、積層される各三角屋根パネル８ｈ，８ｈの軒先部１０８ａ，１０８ａ同士が干渉する虞がない。
【００８７】
例えば、更に、補助架台１６の補助パネル支持部３９も、任意の位置に設けることができるので、異なる形状を有する屋根パネル部材８であっても、各々最も支持が安定する各頂点位置近傍等にパネル支持部２４及び補助パネル支持部３９を設け、安定させて支持させることができる。
【００８８】
また、高さ調整手段としての前記回動ジョイント部１２１又は、支柱部１２７によって、長尺架台２１５又は長尺架台１１５を積層した際に、一の長尺架台１５上のパネル支持部２４が、上方に連結される他の長尺架台２１５又は１１５上のパネル支持部２４と略同一高さとなる。
【００８９】
このため、複数の長尺架台１５，１１５，２１５を組み合わせて形成される多数のパネル支持部２４，２４に一枚の屋根パネル８を載置する際、略水平に支持される。
【００９０】
なお、前記長尺架台１５等を複数用いる代わりに補助架台１６を併用することによって、パネル架台１３全体の軽量化が図られ、パネル架台１３の生産コスト及び屋根パネル部材８の輸送コストの増大を抑制できる。
【００９１】
以上、この発明の実施の形態１を図面により詳述してきたが、具体的な構成はこの実施の形態１に限らず、この発明の要旨を逸脱しない範囲の設計の変更等があってもこの発明に含まれる。
【００９２】
例えば、前記実施の形態１では、受け部２８として、上方を開放する略凹字状のものを用いて構成しているが、特にこれに限らず、例えば、平板状や略Ｌ字状等の形状を呈するものや、脱落防止手段として、磁石により磁着させるもの等どのような形状及び構成のものであっても、前記長尺架台１５又は補助架台１６に設けられるものであるならばよい。
【００９３】
また、前記実施の形態１では、前記継ぎ柱部２３の回動ジョイント部２１が、凹部に、下方に配設されるジョイント受け部１９又はジョイント受け２２を係合するように構成されているが、特にこれに限らず、例えば、回動ジョイント部２１が、凸状を呈して、下方の凹部に係合されるもの等、回動ジョイント部が、ジョイント受け部１９等に回動自在に係合されるものであるならばどのような形状のものであってもよい。
【００９４】
【発明の効果】
以上説明してきたように、この発明の請求項１記載のものによれば、前記長尺架台一端の回動ジョイント部を前記ジョイント受け部に回動自在に係合させると共に、他端の係止部を該回動ジョイント部を中心として回動させて、何れかの縦柱の被係止部に該係止部を係止させると、前記ジョイント受け部と縦柱との間に長尺架台が掛け渡される。
【００９５】
このため、複数の縦柱のうち、該係止部を係止させる縦柱を適宜選択することにより、回転軸から縦柱に掛け渡された長尺架台と、該縦柱以外の縦柱へ向けて延設される直線との間に平行以外の所定角度を与えて配設させることが出来る。
【００９６】
また、回転軸から縦柱に渡された長尺架台と、他の縦柱に渡された長尺架台とが、平行以外の所定角度を与えて配設させることもできる。
【００９７】
従って、例えば、異型のパネル部材のうち、安定させて支持できる各被支持位置に合わせて、各支持部を該長尺架台に沿わせてスライド移動させて位置決めを行い、パネル部材を該各支持部で安定させて支持させることができる。
【００９８】
また、この発明の請求項２記載のものによれば、パネル部材を積層する際には、一の長尺架台の前記継ぎ柱部上に他の長尺架台の前記回動ジョイント部を鉛直方向に連結し、該一の長尺架台が係止している被係止部と鉛直方向で高さ位置の異なる被係止部に、該他の長尺架台の係止部を係止させると、該他の長尺架台が下方のパネル部材から所定間隔離間する。
【００９９】
このため、上方に積層されるパネル部材は、下方のパネル部材と離間した前記他の長尺架台によって独立に支持されるので、該下方のパネル部材に前記上方のパネル部材の荷重による負担が加わらず、該下方のパネル部材の耐荷重量により上方に積層されるパネル部材が制限されることもないので、一の輸送架台で多くのパネル部材を積層、輸送することができる。
【０１００】
また、下方に載置されたパネル部材の形状に拘わらず、他の長尺架台上に形状の異なるパネル部材を載置して支持させることができる。
【０１０１】
そして、この発明の請求項３記載のものによれば、前記パネル架台は、前記被係止部に係止する係止部と、該何れかの被係止部に該係止部を係止させた状態で、前記長尺架台のパネル支持部と略同一高さに位置する補助パネル支持部とを設けた補助架台を有する各請求項１又は２記載のパネル部材の架台を特徴としている。
【０１０２】
このように構成された請求項３記載のものでは、前記ジョイント受け部と縦柱との間に長尺架台が掛け渡される上記作用に加えて、適宜前記各縦柱被係止部を選択して前記補助架台の係止部を係止させる。
【０１０３】
該補助架台の支持部は、パネル部材を安定させて支持できる位置に位置決めされる。
【０１０４】
このため、パネル部材を安定して支持するための各架台の位置決めが容易となり、該各架台上のパネル部材を簡単な機構により水平に固定、位置決めすることができるので、作業効率の向上に寄与する。
【０１０５】
さらに、前記補助架台の係止部が係止する前記各縦柱の被係止部を適宜変更することによって、種々の形状のパネル部材に対応することができる。
【０１０６】
また、この発明の請求項４記載のものによれば、前記補助架台の係止部を、前記長尺架台係止部が係止されている被係止部を有する一の縦柱から離間した位置に設けられた他の縦柱の被係止部に係止させる請求項３記載のパネル部材の架台を特徴としている。
【０１０７】
このように構成された請求項４記載のものでは、前記補助架台の支持部位置が、前記長尺架台上に設けられた各支持部間を結ぶ線上から所定距離間離間されて設けられるので、前記長尺架台各支持部間を結ぶ線上に無い支持部が、この補助架台係止部を係止する前記各縦柱被係止部を適宜選択することによって任意の位置に設けることができる。
【０１０８】
このため、例えば、三角屋根パネル部材の一辺を該長尺架台の延設方向に沿わせて支持させる際、三角形の該一辺から離間した頂点近傍に位置する支持部を、パネル形状に適応させて設けることができる。
【０１０９】
また、同一直線上に無い位置に存在する複数の支持部が、パネル部材を支持するので、例えば、三角屋根パネルの頂点位置の近傍の各点で、前記支持部によって支持されることにより、効率よく安定させてパネル部材を支持することができる。
【０１１０】
この際、該補助架台の支持部を任意の位置に設けることができるので、各々異なる形状を有する異型屋根パネルであっても、各々最も支持が安定する各頂点位置近傍等に支持部を設け、安定させて支持させることができる。
【０１１１】
そして、請求項５記載のものでは、前記高さ調整手段によって、長尺架台を積層した際に、一の長尺架台上のパネル支持部が、上方に連結される他の長尺架台上のパネル支持部と略同一高さに位置する。
【０１１２】
このため、複数の該長尺架台上の多数のパネル支持部により、一枚のパネル部材を水平に支持することができる。
【０１１３】
また、この発明の請求項６記載のものによれば、前記パネル支持部は、略鉛直方向に沿って設けられた回動軸を回動中心として回動可能となるように構成されている各請求項１〜５記載のパネル部材の架台を特徴としている。
【０１１４】
このように構成された請求項６記載のものでは、前記パネル支持部が、パネル被支持部に合わせて回動軸を回動中心として回動されると、該支持部は前記被支持部を支持する方向に向く。
【０１１５】
従って、パネル部材を架台の上に載置するだけで、被支持部が支持部に適合して支持される。
【０１１６】
このため、パネル部材の被支持部の方向に依存せずパネル部材を積むことが可能となり、異型のパネル等に対する汎用性が増大される、という実用上有益な効果を発揮する。
【図面の簡単な説明】
【図１】本発明の実施の形態１のパネル部材の架台で、架台に二枚の屋根パネルを積層した様子を示す上面図である。
【図２】本発明の実施の形態１のパネル部材の架台で、架台に二枚の屋根パネルを積層した様子を示し、図１の矢視ＩＩ方向から見た正面図である。
【図３】本発明の実施の形態１のパネル部材の架台で、架台に二枚の屋根パネルを載置する様子を示す斜視図である。
【図４】本発明の実施の形態１のパネル部材の架台で、架台に二枚の屋根パネルを載置した様子を示す上面図である。
【図５】本発明の実施の形態１のパネル部材の架台で、架台に五角型の屋根パネルを載置する様子を示す斜視図である。
【図６】本発明の実施の形態１のパネル部材の架台で、図５中Ｂ−Ｂ線に沿った位置での一部断面側面図である。
【図７】本発明の実施の形態１のパネル部材の架台で、図５中Ａ−Ａ線に沿った位置での一部断面側面図である。
【図８】本発明の実施の形態１のパネル部材の架台で、図５中の五角型の屋根パネルと対称な形状を有する屋根パネルを載置した様子を示す上面図である。
【図９】本発明の実施の形態１のパネル部材の架台で、ベース部材の正面図である。
【図１０】本発明の実施の形態１のパネル部材の架台で、ベース部材を図９中矢視Ｘ方向から見た上面図である。
【図１１】本発明の実施の形態１のパネル部材の架台で、一長尺架台の上面図である。
【図１２】本発明の実施の形態１のパネル部材の架台で、一長尺架台の側面図である。
【図１３】本発明の実施の形態１のパネル部材の架台で、他の長尺架台の側面図である。
【図１４】本発明の実施の形態１のパネル部材の架台で、補助架台の上面図である。
【図１５】本発明の実施の形態１のパネル部材の架台で、補助架台の側面図である。
【図１６】本発明の実施の形態１のパネル部材の架台で、補助架台を縦柱に係止させる様子を説明する斜視図である。
【図１７】本発明の実施の形態１のパネル部材の架台で、補助架台が縦柱に係止された様子を説明する側面図である。
【図１８】本発明の実施の形態１のパネル部材の架台で、軒先部を有する屋根パネルが、架台に載置された様子を示す上面図である。
【図１９】建築物の屋根部を上方から見た上面図である。
【図２０】従来のパネル部材の架台の斜視図である。
【符号の説明】
８ａ〜８ｈ      屋根パネル
１４            ベース部材
架台
１５，１１５，２１５  長尺架台
１６                  補助架台
１８ａ〜１８ｄ  縦柱部
１９            ジョイント受け部
２０，３７      フック（係止部）
２１，１２１    回動ジョイント部
２３            継ぎ柱部
２４            パネル支持部
２５ａ〜２５ｄ  スリット（被係止部）
３０            回動軸
３９            補助パネル支持部
【図１】
0003936430.tif 000002
【図２】
0003936430.tif 000003
【図３】
0003936430.tif 000004
【図４】
0003936430.tif 000005
【図５】
0003936430.tif 000006
【図６】
0003936430.tif 000007
【図７】
0003936430.tif 000008
【図８】
0003936430.tif 000009
【図９】
0003936430.tif 000010
【図１０】
0003936430.tif 000011
【図１１】
0003936430.tif 000012
【図１２】
0003936430.tif 000013
【図１３】
0003936430.tif 000014
【図１４】
0003936430.tif 000015
【図１５】
0003936430.tif 000016
【図１６】
0003936430.tif 000017
【図１７】
0003936430.tif 000018
【図１８】
0003936430.tif 000019
【図１９】
0003936430.tif 000020
【図２０】
0003936430.tif 000021